(57)【要約】【課題】開状態においても外から室内を見えにくくすることができるブラインドを提供する。【解決手段】回動自在に支持された複数のスラット１を備えており、窓１５の室内側に取り付けることでスラット１の外側面４で外光を遮光する横型のブラインドにおいて、スラット１にはスラット１の内側面５から出射するようにＬＥＤ２が設けられている。又、スラット１の外側面４はＬＥＤ２の出射光を反射する反射材３で形成されており、ＬＥＤ２の出射光が外側面４から室内側へと反射するように傾斜している。【選択図】図１
2007146395.tif 000002
【特許請求の範囲】
【請求項１】
回動自在に支持された複数のスラットを備えており、窓の室内側に取り付けることでスラットの外側面で外光を遮光する横型のブラインドにおいて、スラットにはスラットの内側面から出射するようにＬＥＤが設けられており、スラットの外側面はＬＥＤの出射光を反射する反射材で形成されていることを特徴とするブラインド。
【請求項２】
スラットの外側面は、ＬＥＤの出射光が室内側へと反射するように傾斜していることを特徴とする請求項１記載のブラインド。
【請求項３】
各スラットの間には、スラットと略平行で共に回動する透光板が設けられており、透光板の上縁側一部が拡散部として形成されており、スラットと透光板が略水平になる開状態において、拡散部はＬＥＤの直下を避けて配置されており、遮光する閉状態においては、スラットと透光板を傾けることにより、拡散部が直上のスラットに設けられたＬＥＤを覆うように重なることで、ＬＥＤの出射光が拡散部を通過するようになしていることを特徴とする請求項２記載のブラインド。
【発明の詳細な説明】
【技術分野】
【０００１】
本願発明は、ＬＥＤ等の発光部をスリットに設けた横型のブラインドに関するものである。
【背景技術】
【０００２】
従来から、特開２００１−８２０５８号公報（特許文献１）に示されるように、発光部を設けたブラインドは知られている。このブラインドは図４に示すように、横型のブラインドであって、スラット１の内側面５は面発光体１２として形成されており、外側面４には太陽電池１３が設けられており、更に、内側面５と外側面４の間には太陽電池１３で得られる電気エネルギーを蓄電するシート状電池１４が設けられた三層構造のスラット１を備えている。
【０００３】
したがって、このブラインドは、シート状電池１４に蓄電された電力を用いて、面発光体１２を発光させるものであり、閉状態にして面発光体１２を室内側に向けることで、室内照明として活用することができるものである。
【特許文献１】特開２００１−８２０５８号公報
【発明の開示】
【発明が解決しようとする課題】
【０００４】
ところで、スリットの内側面に発光部を設けたブラインドは、開状態において内側面を下向きにして、各発光部からの出射光をそれぞれ一段下のスリットの外側面に照射させ、外側面で反射させることで、窓の外からはブラインド全体が発光しているように見え、開状態においても室内を見えにくくすることができる。
【０００５】
しかしながら、上記従来例であるブラインドにあっては、開状態において、出射光が直接照射されるスラット１の外側面４には太陽電池１３が設けられているため、出射光は太陽電池１３によって大部分が吸収されてしまい、外側面４ではほとんど反射されない。したがって、従来例のブラインドでは、開状態においてブラインドからの発光が十分でないため室内を見えにくくすることはできない。
【０００６】
本願発明は、上記背景技術に鑑みて発明されたものであり、その課題は、開状態においても外から室内を見えにくくすることができるブラインドを提供することである。
【課題を解決するための手段】
【０００７】
上記課題を解決するために、本願請求項１記載の発明では、回動自在に支持された複数のスラットを備えており、窓の室内側に取り付けることでスラットの外側面で外光を遮光する横型のブラインドにおいて、スラットにはスラットの内側面から出射するようにＬＥＤが設けられており、スラットの外側面はＬＥＤの出射光を反射する反射材で形成されていることを特徴としている。
【０００８】
又、本願請求項２記載の発明では、上記請求項１記載のブラインドにおいて、スラットの外側面は、ＬＥＤの出射光が室内側へと反射するように傾斜していることを特徴としている。
【０００９】
又、本願請求項３記載の発明では、上記請求項２記載のブラインドにおいて、各スラットの間には、スラットと略平行で共に回動する透光板が設けられており、透光板の上縁側一部が拡散部として形成されており、スラットと透光板が略水平になる開状態において、拡散部はＬＥＤの直下を避けて配置されており、遮光する閉状態においては、スラットと透光板を傾けることにより、拡散部が直上のスラットに設けられたＬＥＤを覆うように重なることで、ＬＥＤの出射光が拡散部を通過するようになしていることを特徴としている。
【発明の効果】
【００１０】
本願請求項１記載の発明のブラインドにおいては、スラットにはスラットの内側面から出射するようにＬＥＤが設けられているため、内側面を室内側に向けた閉状態において、ＬＥＤを発光させて室内照明として活用することができる。又、スラットの外側面はＬＥＤの出射光を反射する反射材として形成されているため、内側面を下向きにした開状態において、外側面に照射されたＬＥＤの出射光がよく反射され、窓の外から室内を見えにくくすることができる。したがって、開状態においても、外の様子を気にすることなく外の風を取り入れたり、換気したりすることができる。
【００１１】
又、本願請求項２記載の発明のブラインドにおいては、反射材として形成されたスラットの外側面は、ＬＥＤの出射光が外側面から室内側へと反射するように傾斜しているため、開状態においても外側面からの反射光により室内を十分に照らすことができる。
【００１２】
又、本願請求項３記載の発明のブラインドにおいては、透光板を設けない場合は、スラットの外側面で反射して室内を照らす開状態に比べて、室内を直接照らす閉状態の方が強い光で室内を照らすことになる。一方、スラットの間に透光板を設けた場合は、閉状態において直接室内を照らしていた強い光は拡散部を通過することで低減されるため、閉状態と開状態の明るさを均一にすることができる。
【発明を実施するための最良の形態】
【００１３】
図１〜３は、本願請求項１〜３に対応した第一の実施形態であるブラインドを示している。このブラインドは、図１、２に示すように、回動自在に支持された複数のスラット１を備えており、窓１５の室内側に取り付けることでスラット１の外側面４で外光を遮光する横型のブラインドにおいて、スラット１にはスラット１の内側面５から出射するようにＬＥＤ２が設けられている。又、スラット１の外側面４はＬＥＤ２の出射光を反射する反射材３で形成されており、ＬＥＤ２の出射光が外側面４から室内側へと反射するように傾斜している。
【００１４】
スラット１の間には、スラット１と共に回動し、スラット１と略平行な透光板８が設けられており、透光板８の上縁１０側の一部が拡散部９として形成されている。この拡散部９はスラット１と透光板８が略水平になる開状態において、ＬＥＤ２の直下を避けて配置されている。これに対して、遮光する閉状態においては、スラット１と透光板８を傾けることにより、透光板８に形成された拡散部９が、直上のスラット１に設けられたＬＥＤ２を覆うように重なることで、ＬＥＤ２の出射光が拡散部９を通過するようになしている。
【００１５】
以下、この実施形態のブラインドを、より具体的詳細に説明する。図１に示すように、略平行なスラット１と透光板８が一枚ずつ交互に配置されているブラインドであって、スラット１と透光板８は連なって回動するようになっている。スラット１は、一定の厚みを持った水平な板を下端７側に向かうほど外側に湾曲させた反射材３がスラット１の外側面４として形成されており、反射材３の内側にＬＥＤ２および配線１６を敷き、透明樹脂で埋め込むことによって内側面５が形成されている。スラット１全体としては、下端７側に向かって連続的にスラット１の厚みを増すことで外側面４が傾斜する板形状となっている。なお、ＬＥＤ２はスラット１の下端７側に等間隔に複数個配置されており、各ＬＥＤ２の間を配線１６で繋ぐことで全てのＬＥＤ２に電力を供給している。
【００１６】
透光板８は、透過率の高いアクリル等の物質から成っており、一定の厚みを持った水平な板形状であって、下縁１１側は入射した光をほとんど低減せずに通過させることができる。一方、透光板８の上縁１０側の長手方向に沿った全域においては、通過する光を拡散するように加工された拡散部９が形成されており、この部分に入射した光は拡散されることで低減される。
【００１７】
このブラインドは図２に示すように、スラット１の下端７側が窓１５側にきて、スラット１の上端６側と透光板８に設けられた拡散部９が室内側にくるように取り付けられる。又、図２（ａ）に示すように、開状態においてはＬＥＤ２の直下に拡散部９がこないので、ＬＥＤ２の出射光は拡散部９を通過せずに一段下のスラット１の外側面４で反射して室内を照らす。これに対して、図２（ｂ）に示すように、閉状態においては、拡散部９がＬＥＤ２を覆うように重なるため、ＬＥＤ２の出射光は拡散部９を通過して室内を照らす。なお、開状態および閉状態の切り換えは、図３に示すように、回動ロープ１７を操作してスラット１と透過板８を回動させることによって行う。
【００１８】
したがって、この実施形態のブラインドにおいては、スラット１にはスラット１の内側面５から出射するようにＬＥＤ２が設けられているため、内側面５を室内側に向けた閉状態において、ＬＥＤ２を発光させて室内照明として活用することができる。更に、反射材３として形成されたスラット１の外側面４は、ＬＥＤ２の出射光が外側面４から室内側へと反射するように傾斜しているため、開状態においても外側面４からの反射光により室内を十分に照らすことができる。
【００１９】
又、スラット１の外側面４はＬＥＤ２の出射光を反射する反射材３として形成されているため、内側面５を下向きにした開状態において、外側面４に照射されたＬＥＤ２の出射光がよく反射され、窓１５の外から室内を見えにくくすることができる。したがって、開状態においても、外の様子を気にすることなく外の風を取り入れたり、換気したりすることができる。
【００２０】
又、このブラインドはスラット１の間に透光板８を設けているが、この透光板８を設けない場合、ＬＥＤ２の出射光がスラット１の外側面４で反射して室内を照らす開状態に比べて、ＬＥＤ２の出射光が室内を直接照らす閉状態の方が、強い光で室内を照らすことになり、開状態と閉状態とで明るさが不均一になる。一方、スラット１の間に透光板８を設けた場合は、開状態では、ＬＥＤ２の出射光は低減されずに透光板８を通過するが、閉状態において直接室内を照らしていた強い光は拡散部９を通過することで低減されるため、閉状態と開状態の明るさを均一にすることができる。
【図面の簡単な説明】
【００２１】
【図１】本願発明の第一の実施形態であるブラインド示す斜視図。
【図２】同ブラインドの（ａ）は開状態を、（ｂ）は閉状態を示す断面図。
【図３】同ブラインドの開閉の切り替え構造を示す断面図。
【図４】従来例であるブラインドを示す斜視図。
【符号の説明】
【００２２】
１  スラット
２  ＬＥＤ
３  反射材
４  外側面
５  内側面
６  上端
７  下端
８  透光板
９  拡散部
10上縁
11下縁
【図１】
2007146395.tif 000003
【図２】
2007146395.tif 000004
【図３】
2007146395.tif 000005
【図４】
2007146395.tif 000006